(57)【特許請求の範囲】
【請求項１】
据置部と、前記据置部に載置可能に構成され、水中で水素気泡を発生させる移動部とを具備し、
前記据置部は、
水素を発生させる水素発生装置と、
前記水素発生装置と連結した据置部用水素タンクと、
前記水素発生装置に電力を供給する外部電源と接続し、出力部を含む電力ケーブルと、
前記据置部用水素タンク内の圧力を検出する第一の圧力検出手段と、
前記水素発生装置及び前記第一の圧力検出手段と接続する据置部用制御装置と、を有し、
前記移動部は、
前記据置部に前記移動部を載置しているとき、前記据置部用水素タンクと連結可能な移動部用水素タンクと、
前記移動部用水素タンクと連結した超微細気泡発生装置と、
前記据置部に前記移動部を載置しているとき、前記超微細気泡発生装置に電力を供給する前記電力ケーブルの出力部と連結可能な充電電源と、
前記移動部用水素タンク内の圧力を検出する第二の圧力検出手段と、
前記超微細気泡発生装置及び第二の圧力検出手段と接続する移動部用制御装置と、を有し、
前記超微細気泡発生装置は、
前記移動部用水素タンクと連結した気泡発生媒体と、
前記充電電源で駆動する、気泡発生媒体の表面を流れる水流を作り出す水流発生装置と、を含み、
前記気泡発生媒体は、炭素で構成され、多数の孔が設けられた高密度複合体で構成されている
充電式超微細気泡発生装置。
【請求項２】
前記気泡発生媒体の孔は、直径数μｍ〜数十μｍの孔である
請求項１に記載の充電式超微細気泡発生装置。
【請求項３】
前記充電電源は、１２Ｖ以下の低電圧電源である
請求項１または請求項２に記載の充電式超微細気泡発生装置。
【発明の詳細な説明】
【技術分野】
【０００１】
本発明は、充電式超微細気泡発生装置の技術に関し、特に、据置部と、前記据置部に載置可能に構成され、水中で水素気泡を発生させる移動部とからなる充電式超微細気泡発生装置の技術に関する。
【背景技術】
【０００２】
従来、浴槽などの水槽内に配置し、水中で気体を噴出することにより気泡を発生させる気泡発生装置が公知となっている。一例として、ポンプにより浴槽の湯が循環する浴槽湯循環装置の循環回路に、酸素富化装置からの高濃度酸素空気を加圧溶解して混入させ、浴槽内へ多量の気泡として噴出させる装置が公知となっている（特許文献１参照）。
【０００３】
また、従来、水中で噴出する気体として水素を使用した装置が公知となっている。このように、浴湯中に水素を供給した風呂、いわゆる水素風呂は、抗老化作用の他、美容効果を発揮する風呂として近年注目されている。一例として、水素を浴槽内の浴湯中に供給する水素供給手段を備え、水素供給手段により浴槽内に水素を供給し、浴室内の水素濃度を４％以下に調節する水素気泡浴槽装置が公知となっている（特許文献２参照）。
【先行技術文献】
【特許文献】
【０００４】
【特許文献１】特開２００５−２４５７４７号公報
【特許文献２】特開２００８−０３６３３１号公報
【発明の概要】
【発明が解決しようとする課題】
【０００５】
しかし、従来の気泡発生装置は、高圧で噴射しなければ微細な気泡を作り出すことができず、必然的に大型のポンプが必要となり、装置の大型化の原因になっていた。また、ポンプやコンプレッサを駆動するための電源となるバッテリも必然的に大型のバッテリが必要となっており、装置の大型化の原因となっていた。さらに、主に水中で使用する気泡発生装置に取付ける場合、漏電を防ぐために厳重な防水加工を施す必要があり、大型化の原因となり、また、コストが高騰する原因となっていた。また、装置自体が大型化することにより、装置を移動させることが困難となり、複数の場所で使用することができなかった。
また、水素を使用した場合に、従来技術のように気泡のサイズが大きいと水中に留まることができず、空気中に放出されるため、常に水素を送り込む必要があり、多量の水素を必要としていた。
【０００６】
そこで、本発明は係る課題に鑑み、装置を小型化することができ、少ない電力で超微細気泡を発生することができる充電式超微細気泡発生装置を提供する。
【課題を解決するための手段】
【０００７】
本発明の解決しようとする課題は以上の如くであり、次にこの課題を解決するための手段を説明する。
【０００８】
即ち、請求項１においては、据置部と、前記据置部に載置可能に構成され、水中で水素気泡を発生させる移動部とを具備し、前記据置部は、水素を発生させる水素発生装置と、前記水素発生装置と連結した据置部用水素タンクと、前記水素発生装置に電力を供給する外部電源と接続し、出力部を含む電力ケーブルと、前記据置部用水素タンク内の圧力を検出する第一の圧力検出手段と、前記水素発生装置及び前記第一の圧力検出手段と接続する据置部用制御装置と、を有し、前記移動部は、前記据置部に前記移動部を載置しているとき、前記据置部用水素タンクと連結可能な移動部用水素タンクと、前記移動部用水素タンクと連結した超微細気泡発生装置と、前記据置部に前記移動部を載置しているとき、前記超微細気泡発生装置に電力を供給する前記電力ケーブルの出力部と連結可能な充電電源と、前記移動部用水素タンク内の圧力を検出する第二の圧力検出手段と、前記超微細気泡発生装置及び第二の圧力検出手段と接続する移動部用制御装置と、を有し、前記超微細気泡発生装置は、前記移動部用水素タンクと連結した気泡発生媒体と、前記充電電源で駆動する、気泡発生媒体の表面を流れる水流を作り出す水流発生装置と、を含み、前記気泡発生媒体は、炭素で構成され、多数の孔が設けられた高密度複合体で構成されているものである。
【０００９】
請求項２においては、前記気泡発生媒体の孔は、直径数μｍ〜数十μｍの孔であるものである。
【００１０】
請求項３においては、前記充電電源は、１２Ｖ以下の低電圧電源であるものである。
【発明の効果】
【００１１】
本発明の効果として、以下に示すような効果を奏する。
【００１２】
請求項１においては、高密度複合体の多数の孔から多数の超微細気泡を発生させることができ、超微細気泡が発生した瞬間に液流によって気泡発生媒体から離間することにより、合体して大きな気泡になることを防ぐことができるため、簡易な方法で超微細気泡を発生させることができる。また、移動部用水素タンク内の圧力で水素を圧送することができるので、コンプレッサを使用する必要がない。そのため、超微細気泡の発生に必要な電力は、水流発生装置に使用する僅かな電力で済む。したがって、装置を小型化することができ、少ない電力で超微細気泡を発生することができる。
【００１３】
請求項２においては、直径数百ｎｍ〜数十μｍの超微細気泡を発生させることができる。直径数百ｎｍ〜数十μｍの超微細気泡は、浮力が小さく水中に対流して存在する。そのため、水素を常に送り込む必要がなく移動部用水素タンクを小さく構成することができる。したがって、装置を小型化することができ、少ない電力で超微細気泡を発生することができる。
【００１４】
請求項３においては、低電圧の電源であるので簡易な防水加工を施すだけでよく、装置を小型化することができ、また、コストを省くことができる。したがって、装置を小型化することができ、少ない電力で超微細気泡を発生することができる。
【図面の簡単な説明】
【００１５】
【図１】本発明の一実施形態に係る充電型超微細気泡発生装置の全体的な構成を示した斜視図。
【図２】移動部及び据置部を示す斜視図。
【図３】充電型超微細気泡発生装置の構成を示すブロック図。
【図４】据置部用制御装置及び異動部用制御装置を示すブロック図。
【図５】気泡発生媒体の断面一部拡大図。
【図６】気泡発生媒体の断面一部拡大図。
【図７】移動部の使用状態を示す斜視図。
【図８】据置部用制御装置の制御方法を示すフローチャート図。
【図９】移動部用制御装置の制御方法を示すフローチャート図。
【発明を実施するための形態】
【００１６】
次に、発明の実施の形態を説明する。なお、図１の矢印で示すように前後方向、左右方向、上下方向を定め、以下に述べる各部材の位置や方向等を説明する。
【００１７】
充電型超微細気泡発生装置１は、図１及び図２に示すように、据置部２と、据置部２に載置可能に構成され、水中で水素気泡を発生させる移動部３とを具備する。
【００１８】
まず、据置部２について、図１から図４を用いて説明する。
据置部２は、図３に示すように、水素を発生させる水素発生装置１１と、発生した水素を圧送するための据置部用コンプレッサ１２と、水素発生装置１１と連結した据置部用水素タンク１３と、水素発生装置１１及びコンプレッサ１２に電力を供給する外部電源１００と接続し、出力部としての充電プラグ１５を含む電力ケーブル１４と、据置部用水素タンク１３内の圧力を検出する第一の圧力検出手段としての第一圧力センサ１６と、据置部用表示手段１７と、据置部用制御装置１８（図４参照）と、を有する。
【００１９】
据置部２は、図１及び図２に示すように、正面視略「Ｌ」字状に構成されており、地面と略平行に形成された台座部分２ａと台座部分２ａの一端（本実施形態では左端）上面から上方へ突出した直立部分２ｂとから構成されている。台座部分２ａ及び直立部分２ｂは中空に構成されており、台座部分２ａ及び直立部分２ｂの内部に、水素発生装置１１、コンプレッサ１２、据置部用水素タンク１３、電力ケーブル１４、充電プラグ１５、第一圧力センサ１６、及び据置部用制御装置１８が配置されている。
【００２０】
水素発生装置１１は、図３に示すように、据置部２の台座部分２ａに設けられている。水素発生装置１１は、例えば、水を電気分解して陰極に集まった水素を収集する装置である。なお、水素発生装置１１の構成は限定するものではなく、例えば、メタンなどの炭化水素を電気分解する装置であっても良いし、空気中の水分を電気分解する装置であっても良い。
水素発生装置１１の水素を収集して貯留する貯留部分は、コンプレッサ１２及び据置部用水素タンク１３と連結している。
【００２１】
コンプレッサ１２は、水素発生装置１１の側方に配置されており、据置部２の台座部分２ａに設けられている。コンプレッサ１２は後述する外部電源１００からの電力によって駆動し、水素発生装置１１の前記貯留部分に収集された水素を据置部用水素タンク１３へと圧送する。
【００２２】
据置部用水素タンク１３は、水素発生装置１１の上方であって、据置部２の直立部分２ｂに設けられている。据置部用水素タンク１３は、円筒状に形成されており、アルミニウムなどの金属で構成されている。本実施形態においては据置部用水素タンク１３は、容量が略３リットルである。据置部用水素タンク１３の下端は、水素発生装置１１の前記貯留部分と連結されており、水素発生装置１１から圧送された水素は、据置部用水素タンク１３に貯留される。また、据置部用水素タンク１３の上部には、吐出通路１９が連結されており、吐出通路１９の一端は据置部２の直立部分２ｂの上部表面に露出している。吐出通路１９の一端は、移動部３を据置部２に載置したときに、後述する移動部用水素タンク３１の第二連通管４２の一端と連結する位置に設けられている。吐出通路１９の中途部には、開閉弁２０が設けられている。開閉弁２０は、吐出通路１９の一端と第二連通管４２の一端とが連結したときのみ開かれる構成となっている。開閉弁２０は、第二連通管４２の一端が吐出通路１９の一端と連結すると機械的に開く構成となっている。なお、開閉弁２０は、据置部用制御装置１８によって電気的に制御されることも可能である。
【００２３】
電力ケーブル１４は、例えばプラグを有する銅線であり、外部電源１００と接続することができる。外部電源１００は、電力ケーブル１４を介して、水素発生装置１１、コンプレッサ１２、及び充電プラグ１５に電力を供給する。
【００２４】
充電プラグ１５は、据置部２の直立部分２ｂの上部に設けられており、その上面は据置部２の表面に露出している。充電プラグ１５は、移動部３を据置部２に載置したときに、後述する充電電源３３の接続プラグ４８と連結する位置に設けられている。
【００２５】
第一圧力センサ１６は、据置部用水素タンク１３の内部に設けられており、据置部用水素タンク１３に貯留された水素の圧力を検出する。
据置部用表示手段１７は、図１及び図２に示すように、例えば液晶画面で構成されており、第一圧力センサ１６が検出した据置部用水素タンク１３の圧力の情報や警告情報等を表示する。
【００２６】
据置部用制御装置１８はＣＰＵで構成されており、図４に示すように、水素発生装置１１、コンプレッサ１２、第一圧力センサ１６、及び据置部用表示手段１７に接続されている。
【００２７】
次に、移動部３について図１から図４を用いて説明する。
移動部３は、図３に示すように、据置部２に移動部３を載置しているとき、据置部用水素タンク１３と連結可能な移動部用水素タンク３１と、移動部用水素タンク３１と連結した超微細気泡発生装置３２と、据置部２に移動部３を載置しているとき、超微細気泡発生装置に電力を供給する電力ケーブル１４の充電プラグ１５と連結可能な充電電源３３と、据置部用水素タンク３１内の圧力を検出する第二の圧力検出手段としての第二圧力センサ３４と、移動部用表示手段３５と、移動部用入力手段３６と、移動部用制御装置３７（図４参照）と、を有する。
【００２８】
移動部３は、図１及び図２に示すように、正面視略「Ｌ」字を１８０度回転させた状態に構成されており、地面と略平行に形成された天井部分３ａと、天井部分３ａの一端（本実施形態では右端）下面から下方へ突出した垂下部分３ｂとから構成されている。天井部分３ａ及び垂下部分３ｂは中空に構成されており、天井部分３ａ及び垂下部分３ｂの内部に、移動部用水素タンク３１、超微細気泡発生装置３２、充電電源３３、第二圧力センサ３４、及び移動部用制御装置３７が配置されている。また、天井部分３ａの他端（本実施形態では左端）下面から引っ掛け部分３ｃが突設している。
【００２９】
移動部用水素タンク３１は、図３に示すように、移動部３の垂下部分３ｂ上部に設けられている。移動部用水素タンク３１は、円筒状に形成されており、アルミニウムなどの金属で構成されている。本実施形態においては移動部用水素タンク３１は、容量が略３リットルである。移動部用水素タンク３１の下端は、第一連通管４０を介して超微細気泡発生装置３２と連結されており、第一連通管４０の中途部には、制御弁４１が設けられている。また、移動部用水素タンク３１の上部には、第二連通管４２が設けられている。第二連通管４２の一端は、移動部３の垂下部分３ｂ側面（本実施形態においては左側側面）に露出しており、移動部３を据置部２に載置したときに、吐出通路１９の一端と連結する位置に設けられている。
【００３０】
超微細気泡発生装置３２は、移動部用水素タンク３１と連結した気泡発生媒体４５と、充電電源３３で駆動し、気泡発生媒体４５の表面を流れる水流を作り出す水流発生装置４６と、を有する。
超微細気泡発生装置３２は、移動部用水素タンク３１の下方であって、垂下部分３ｂの下部に設けられている。また、垂下部分３ｂの下部側面（本実施形態では右側側面）には気泡及び水流が通過する複数の放出孔３ｄが設けられている。
気泡発生媒体４５は、柱状の部材であり、その長手方向が地面と略平行になるように配置されている。本実施形態においては、円柱状に形成されている。気泡発生媒体４５は、図５及び図６に示すように、内部に空間４５ａを有しており、第一連通管４０の端部は空間４５ａに連結されている。空間４５ａは、気泡発生媒体４５の長手方向中途部まで設けられている。
【００３１】
また、気泡発生媒体４５は、炭素で構成され、直径数μｍ〜数十μｍの多数の孔４５ｂが設けられた高密度複合体で構成されている。気泡発生媒体４５を構成する高密度複合体は導電体である。
【００３２】
水流発生装置４６は、図３に示すように、気泡発生媒体４５の表面部４５ｃに沿って、気泡発生媒体４５によって放出される超微細気泡の放出方向に対して略直交する方向に向けて水流を発生させる装置である。本実施形態においては、水流発生装置４６はモータを具備する回転翼とノズルとで構成されており、モータを駆動することにより回転翼を回転させて水流を起こし、ノズルから水を噴出することにより水流を発生させる。水流発生装置４６は、気泡発生媒体４５の側方（本実施形態においては左側）に設けられており、反対側の放出孔３ｄに向けて水流を発生させる。
【００３３】
水流発生装置４６によって発生させた水流は、図６（ａ）に示すように超微細気泡が孔４５ｂから発生した瞬間に、図６（ｂ）に示すように、超微細気泡が放出されている表面部４５ｃを高速で通過することによって表面部４５ｃから離間させる。
【００３４】
これにより、図６（ｃ）に示すように、表面部４５ｃの超微細気泡は、後から発生する超微細気泡や周辺の孔４５ｂから発生する超微細気泡と合体することなく単独で液中へ移動することとなる。このように構成することにより、簡易な方法で超微細気泡を発生させることができる。直径数十μｍの超微細気泡は、浮力が小さく水中に対流して存在する。そのため、水素を常に送り込む必要がなく移動部用水素タンク３１を小さく構成することができる。
【００３５】
充電電源３３は、図３に示すように、移動部３の天井部分３ａに設けられている。充電電源３３は、１２Ｖの低圧電源であり、水流発生装置４６に電力を供給する。充電電源３３は、接続プラグ４８を有しており、接続プラグ４８は、移動部３の天井部分３ａの下面に露出している。接続プラグ４８は、移動部３を据置部２に載置したときに、充電プラグ１５と連結する位置に設けられている。
【００３６】
第二圧力センサ３４は、移動部用水素タンク３１の内部に設けられており、移動部用水素タンク３１に貯留された水素の圧力を検出する。
移動部用表示手段３５は、図１及び図２に示すように、例えば液晶画面で構成されており、第二圧力センサ３４が検出した移動部用水素タンク３１内の圧力の情報や警告情報等を表示する。
移動部用入力手段３６は、図１及び図２に示すように、例えばスイッチで構成されており、操作者が移動部用入力手段３６を操作することにより、運転状態と停止状態の切り替えが行われる。
【００３７】
移動部用制御装置３７は、ＣＰＵで構成されており、図４に示すように、第二圧力センサ３４、移動部用表示手段３５、移動部用入力手段３６、制御弁４１及び水流発生装置４６に接続されている。
【００３８】
次に、浴槽１０１内における水素発生方法について説明する。
まず、移動部３を据置部２に載置する。移動部３を据置部２に載置している間、据置部２の充電プラグ１５に、移動部３の接続プラグ４８が接続されており、充電電源３３が充電される。また、水素発生装置１１で発生した水素は、水素発生装置１１の前記貯留部分から、コンプレッサ１２により据置部用水素タンク１３に圧送され、据置部用水素タンク１３に貯留される。据置部用水素タンク１３の圧力は上限が１０ｋｇｆ／ｃｍ２である。
そして、移動部３を据置部２に載置している間、移動部３の第二連通管４２が据置部の吐出通路１９と連結することにより、開閉弁２０が開かれ、据置部用水素タンク１３内と移動部用水素タンク３１内との間の差圧によって、据置部用水素タンク１３から移動部用水素タンク３１へと水素が流入する。水素の流入は、据置部用水素タンク１３内と移動部用水素タンク３１内との間の差圧がなくなるまで続く。例えば、据置部用水素タンク１３内の圧力が１０ｋｇｆ／ｃｍ２であって、移動部用水素タンク３１内の圧力が０ｋｇｆ／ｃｍ２であった場合、水素の流入は、据置部用水素タンク１３内及び移動部用水素タンク３１内の圧力が５ｋｇｆ／ｃｍ２となるまで続く。
【００３９】
充電電源３３が充電され、移動部用水素タンク３１に水素が貯留された状態で、図７に示すように、移動部３を浴槽１０１の壁面に設置する。この際、引っ掛け部分３ｃが浴槽１０１の壁面反対側に接触することにより、移動部３が浴槽１０１の壁面に固定される。移動部３の垂下部分３ｂは下部、特に放出孔３ｄの設けられた部分が浴湯中に位置している。
移動部用入力手段３６が操作されて運転状態が選択されると、移動部用制御装置３７は制御弁４１を開く。制御弁４１が開かれると移動部用水素タンク３１内の水素は、移動部用水素タンク３１内の圧力によって第一連通管４０を介して移動部用水素タンク３１から気泡発生媒体４５の空間４５ａ内へと圧送される。ここで圧送される水素の量は５０〜１００ｃｃ／ｍｉｎであるように制御弁４１の開放量を調整する。
【００４０】
気泡発生媒体４５の空間４５ａ内の水素は多数の孔４５ｂを通って気泡発生媒体４５の表面部４５ｃへ移動し超微細気泡となる。気泡発生媒体４５の表面部４５ｃに発生した気泡は水流発生装置４６によって発生させた水流によって離間する。このように構成することにより、合体して大きな気泡になることを防ぐことができ、簡易な方法で超微細気泡を発生させることができる。離間した気泡は水流と共に放出孔３ｄから浴槽１０１の浴湯中へと放出される。
浴槽１０１内での移動部３の使用が終了した後、移動部３を据置部２に載置する。
【００４１】
次に、据置部用制御装置１８による制御について図８を用いて説明する。
まず、据置部用制御装置１８は、水素発生装置１１を駆動させ、コンプレッサ１２を駆動させる（ステップＳ１０）。次に、据置部用制御装置１８は、第一圧力センサ１６により検出された据置部用水素タンク１３内の圧力ｐ１が所定の値Ｐ１以上であるか否かについて判断する（ステップＳ２０）。ここで、本実施形態においては、Ｐ１は１０ｋｇｆ／ｃｍ２である。圧力ｐ１が所定の値Ｐ１以上であった場合には、据置部用表示手段１７に警告画面を表示し（ステップＳ３０）、水素発生装置１１を停止し、コンプレッサ１２を停止させる（ステップＳ４０）。圧力ｐ１が所定の値Ｐ１よりも小さかった場合には、引き続き水素発生装置１１を駆動させ、コンプレッサ１２を駆動させた状態で再びステップＳ２０に戻る。
【００４２】
次に、移動部用制御装置３７による制御弁４１の制御について図９を用いて説明する。
移動部用制御装置３７は、制御弁４１を開く（ステップＳ１１０）。次に、移動部用制御装置３７は、第二圧力センサ３４により検出された移動部用水素タンク３１内の圧力ｐ２が所定の値Ｐ２以下であるか否かについて判断する（ステップＳ１２０）。圧力ｐ２が所定の値Ｐ２以下であった場合には、制御弁４１を閉める（ステップＳ１３０）。圧力ｐ２が所定の値Ｐ２よりも大きかった場合には引き続き制御弁４１を開けた状態で再びステップＳ１２０に戻る。
【００４３】
なお、気泡発生媒体４５の形状は本実施形態に限定するものではなく、例えば板状に形成することや、錘状に形成することも可能である。
また、本発明においては水素を使用した充電式超微細気泡発生装置１について記載しているが、水素発生装置１１を空気ポンプに置換することにより、空気を使用することも可能であるし、水素発生装置１１をオゾン発生装置に置換することにより、オゾンを使用することも可能である。
【００４４】
以上のように、充電型超微細気泡発生装置１は、据置部２と、据置部２に載置可能に構成され、水中で水素気泡を発生させる移動部３とを具備し、据置部２は、水素を発生させる水素発生装置１１と、水素発生装置と連結した据置部用水素タンク１３と、水素発生装置１１に電力を供給する外部電源１００と接続し、充電プラグ１５を含む電力ケーブル１４と、据置部用水素タンク１３内の圧力を検出する第一圧力センサ１６と、水素発生装置１１及び第一圧力センサ１６と接続する据置部用制御装置１８と、を有し、移動部３は、据置部２に移動部３を載置しているとき、据置部用水素タンク１３と連結可能な移動部用水素タンク３１と、移動部用水素タンク３１と連結した超微細気泡発生装置３２と、据置部３に移動部２を載置しているとき、超微細気泡発生装置３２に電力を供給する電力ケーブル１４の充電プラグ１５と連結可能な充電電源３３と、移動部用水素タンク３１内の圧力を検出する第二圧力センサ３４と、超微細気泡発生装置３２及び第二圧力センサ３４と接続する移動部用制御装置３７と、を有し、超微細気泡発生装置３２は、移動部用水素タンク３１と連結した気泡発生媒体４５と、充電電源３３で駆動する、気泡発生媒体４５の表面を流れる水流を作り出す水流発生装置４６と、を含み、気泡発生媒体４５は、炭素で構成され、多数の孔４５ｂが設けられた高密度複合体で構成されているものである。
このように構成することにより、高密度複合体の多数の孔４５ｂから多数の超微細気泡を発生させることができ、超微細気泡が発生した瞬間に液流によって気泡発生媒体４５から離間することにより、合体して大きな気泡になることを防ぐことができるため、簡易な方法で超微細気泡を発生させることができる。また、移動部用水素タンク３１内の圧力で水素を圧送することができるので、コンプレッサを使用する必要がない。そのため、超微細気泡の発生に必要な電力は、水流発生装置４６に使用する僅かな電力で済む。したがって、装置を小型化することができ、少ない電力で超微細気泡を発生することができる。
【００４５】
また、気泡発生媒体４５の孔４５ｂは、直径数μｍ〜数十μｍの孔である。
このように構成することにより、直径数十μｍの超微細気泡を発生させることができる。直径数十μｍの超微細気泡は、浮力が小さく浴湯中に対流して存在する。そのため、水素を常に送り込む必要がなく移動部用水素タンク３１を小さく構成することができる。したがって、装置を小型化することができ、少ない電力で超微細気泡を発生することができる。また、装置を小型化したことにより、容易に移動させることが可能となり、一つの充電型超微細気泡発生装置を複数の浴槽に使用することが可能となる。
【００４６】
また、充電電源３３は、１２Ｖ以下の低電圧電源である。
このように構成することにより、低電圧の電源であるので簡易な防水加工を施すだけでよく、装置を小型化することができ、また、コストを省くことができる。したがって、装置を小型化することができ、少ない電力で超微細気泡を発生することができる。
【符号の説明】
【００４７】
１    充電型超微細気泡発生装置
２    載置部
３    移動部
１１    水素発生装置
１２    コンプレッサ
１３    据置部用水素タンク
１４    電力ケーブル
１５    充電プラグ
１６    第一圧力センサ
１７    据置部用表示手段
１８    据置部用制御装置
２０    開閉弁
３１    移動部用水素タンク
３２    超微細気泡発生装置
３３    充電電源
３４    第二圧力センサ
３５    移動部用表示手段
３６    移動部用入力手段
３７    移動部用制御装置
４１    制御弁
４５    気泡発生媒体
４５ｂ    孔
４６    水流発生装置
【図１】
0005761951.tif 000002
【図２】
0005761951.tif 000003
【図３】
0005761951.tif 000004
【図４】
0005761951.tif 000005
【図５】
0005761951.tif 000006
【図６】
0005761951.tif 000007
【図７】
0005761951.tif 000008
【図８】
0005761951.tif 000009
【図９】
0005761951.tif 000010